(57)【要約】【課題】  イオン発生部の配置構成を工夫し羽根の後方側の突出量を抑制し組立性も良好なイオン発生扇風機を提供すること。【解決手段】  羽根３の後方側に配置され、羽根３を回転させるモータ１６と、首振り用のモータ１７とを収容する第１収容部Ｋ１と、この第１収容部Ｋ１の上方に設けられイオンを前方側に放出させるためのイオン発生部１５を収容する第２収容部Ｋ２と、この第２収容部Ｋ２の前方側と後方側に夫々形成された開口部８ａ，９ａと、この前後に設けられた開口部８ａ，９ａに取り付けられたネット状の部材１１，１２とを備えたことを特徴とするイオン発生扇風機。【選択図】  図４
2005240556.tif 000002
【特許請求の範囲】
【請求項１】
羽根の後方側に配置され、羽根を回転させるモータと、首振り用のモータとを収容する第１収容部と、
この第１収容部の上方に設けられイオンを前方側に放出させるためのイオン発生部を収容する第２収容部と、
この第２収容部の前方側と後方側に夫々形成された開口部と、
この前後に設けられた開口部に取り付けられたネット状部材とを備えたことを特徴とするイオン発生扇風機。
【請求項２】
第１収容部と第２収容部とを仕切るための仕切り部材が設けられていることを特徴とする請求項１に記載のイオン発生扇風機。
【請求項３】
仕切り部材は、前側に位置する第１仕切り部材と、後側に位置する第２仕切り部材とを備えており、これら第１仕切り部材と第２仕切り部材が配置される高さを異ならせていることを特徴とする請求項２に記載のイオン発生扇風機。
【請求項４】
第１収容部と第２収容部を形成するためのカバー部材として、前方側に位置する第１カバー部材と、この第１カバー部材の後方側に取り付けられる第２カバー部材とを備えており、第１仕切り部材を第１カバー部材に取り付け、第２仕切り部材を第２カバー部材に取り付けるように構成したことを特徴とする請求項３に記載のイオン発生扇風機。
【請求項５】
イオン発生用の回路を搭載した回路基板を首振りモータの上方に取り付けるための基板支持部材を設けていることを特徴とする請求項１〜４のいずれか１項に記載のイオン発生扇風機。
【請求項６】
前記回路基板は、前記仕切り部材の下方側に配置したことを特徴とする請求項５に記載のイオン発生扇風機。
【請求項７】
イオン発生部を構成する放電電極を取り付けるための電極支持部材を設け、放電電極と前方側開口部との距離を５ｍｍ以上となるように設定したことを特徴とする請求項１〜６のいずれか１項に記載のイオン発生扇風機。
【請求項８】
羽根をカバーする前側保護カバーと、後側保護カバーと、後側保護カバーに覆い被せられるフィルターとを備え、かつ、第２収容部の前方側の開口部の位置はフィルターにより覆いかぶせられないように構成したことを特徴とする請求項１〜７のいずれか１項に記載のイオン発生扇風機。
【発明の詳細な説明】
【技術分野】
【０００１】
本発明は、イオンを発生するイオン発生部を備えたイオン発生扇風機に関するものである。
【背景技術】
【０００２】
イオンを発生するイオン発生部を備えた種々の家電が知られており、扇風機にも搭載されたものが数多く商品化されている。扇風機に搭載する場合に、イオン発生部を搭載する箇所は種々のものがあり、台座に搭載したり、羽根を支持する支柱部分に搭載する例が知られている。また、羽根の後方側に搭載する構成例も下記特許文献１に開示されたものが公知となっている。本願のイオン発生扇風機は、イオン発生部を羽根の後方側に配置するものを対象としている。
【０００３】
下記特許文献１は、羽根モータの周囲にフレームを設け、フレームの周囲に複数の支持部材を設け、フレームの背面にイオン発生器が固定され、イオンから延出するコードを羽根の保護カバー内に臨ませている。しかしながら、羽根の後方側には羽根回転モータだけでなく首振りモータも配置しなければならず、羽根回転モータの背後にイオン発生器を配置すると、羽根の後方側の突出量が大きくなり扇風機の外観上好ましくない状態となる。さらに、イオン発生器を羽根回転モータの背後に配置するので、イオンを効率良く前方側に放出するためには、延長コードを羽根の保護カバー内に臨ませなければならない。従って、延長コードと羽根の回転とが干渉しないような設計上の配慮が必要となる。また、延長コードを安定した状態に保持する必要もあり、組立作業を煩わしくさせる要因となる。
【０００４】
なお、イオン発生部から発生されるイオンとしては、マイナスイオンのみならずマイナスイオンとプラスイオンを発生するものが知られている。
【特許文献１】実用新案登録第３０８７１８７号
【発明の開示】
【発明が解決しようとする課題】
【０００５】
本発明は上記実情に鑑みてなされたものであり、その課題は、イオン発生部の配置構成を工夫し羽根の後方側の突出量を抑制し組立性も良好なイオン発生扇風機を提供することである。
【課題を解決するための手段】
【０００６】
上記課題を解決するため本発明に係るイオン発生扇風機は、
羽根の後方側に配置され、羽根を回転させるモータと、首振り用のモータとを収容する第１収容部と、
この第１収容部の上方に設けられイオンを前方側に放出させるためのイオン発生部を収容する第２収容部と、
この第２収容部の前方側と後方側に夫々形成された開口部と、
この前後に設けられた開口部に取り付けられたネット状部材とを備えたことを特徴とするものである。
【０００７】
かかる構成によるイオン発生扇風機の作用・効果を説明する。羽根の後方側に羽根回転モータと首振りモータとが配置され、これらを収容する第１収容部が設けられる。この第１収容部の上方に、イオン発生部を収容する第２収容部が設けられる。第２収容部には、前方側と後方側に夫々開口部が形成される。従って、第２収容部を風洞として機能させることができる。イオン発生部は、羽根回転モータの背後に配置するのではなく、第１収容部の上方側に配置されるので、羽根の後方側の突出量を抑制することができる。また、イオン発生部の前方側には開口部が形成されているので、延長コードを設けて、これを羽根の保護カバーの内部に臨ませる必要がない。すなわち、延長コードをなくすことができ、組立性の面において従来技術よりも優れている。更に、開口部にネット状部材を取り付けている。ネット状部材を設けることで収容部内に大きなごみ等が進入することを防止することができる。また、ネット状部材を設けることで指が収容部内に挿入されることも防止することができる。以上のように、イオン発生部の配置構成を工夫し羽根の後方側の突出量を抑制し組立性も良好なイオン発生扇風機を提供することができる。
【０００８】
本発明において、第１収容部と第２収容部とを仕切るための仕切り部材が設けられていることが好ましい。第２収容部は風洞として機能させるために前後に開口部を設けている。従って、この開口部を介して小さな埃等の侵入はありうる。このような埃が羽根回転モータや首振りモータやその周辺部分の回路構成部分等に付着すると誤作動等の原因となる可能性がある。そこで、第１収容部と第２収容部とを仕切るための仕切り部材が設けられる。これにより、モータ等が収容される第１収容部へ埃等が進入することを防止することができる。
【０００９】
本発明に係る仕切り部材は、前側に位置する第１仕切り部材と、後側に位置する第２仕切り部材とを備えており、これら第１仕切り部材と第２仕切り部材が配置される高さを異ならせていることが好ましい。
【００１０】
第１仕切り部材と第２仕切り部材とに分けて構成し、これらの取り付け高さを異ならせることで、イオン発生部の配線を通すための空間を確保することができる。
【００１１】
本発明に係る第１収容部と第２収容部を形成するためのカバー部材として、前方側に位置する第１カバー部材と、この第１カバー部材の後方側に取り付けられる第２カバー部材とを備えており、第１仕切り部材を第１カバー部材に取り付け、第２仕切り部材を第２カバー部材に取り付けるように構成することが好ましい。
【００１２】
このように第１・第２仕切り部材を夫々第１・第２カバー部材に取り付けるようにすることで、組立性を上げることができ、イオン発生部の配線についても収容がしやすくなる。
【００１３】
本発明において、イオン発生用の回路を搭載した回路基板を首振りモータの上方に取り付けるための基板支持部材を設けていることが好ましい。
【００１４】
イオン発生用の回路を収容部内に配置する必要があるが、首振りモータの上方に基板支持部材を介して取り付けることが好ましい。首振りモータの上方に配置することで羽根の後方側の突出量を抑制することができる。
【００１５】
この場合において、前記回路基板は、前記仕切り部材の下方側に配置することが好ましい。すなわち、回路基板は第１収容部に配置される。これにより、第２収容部の風洞としての機能を効率良く発揮させることができる。
【００１６】
本発明において、イオン発生部を構成する放電電極を取り付けるための電極支持部材を設け、放電電極と前方側開口部との距離を５ｍｍ以上となるように設定することが好ましい。かかる数値に設定することでイオンを効率良く発生できることを実験的に確認することができた。
【００１７】
本発明において、羽根をカバーする前側保護カバーと、後側保護カバーと、後側保護カバーに覆い被せられるフィルターとを備え、かつ、第２収容部の前方側の開口部の位置はフィルターにより覆いかぶせられないように構成することが好ましい。
【００１８】
かかるフィルターを設けることで埃を吸着させ、埃が羽根により前方側に放出されないようにすることができる。また、第２収容部の開口部の位置にはフィルターを設けないのでイオンを効率良く前方側に放出させることができる。
【発明を実施するための最良の形態】
【００１９】
本発明に係るイオン発生扇風機の好適な実施形態を図面を用いて説明する。図１は、扇風機を正面から見た外観図、図２は扇風機を背面から見た外観図である。
【００２０】
扇風機は、平面視で円形に形成された基台１と、この基台１の中心より後方側から垂直方向に設置された支柱２と、５枚の羽根部材により構成される羽根３と、羽根３の前方側をカバーする前側保護カバー４とを備えている。基台１の前方側には、凹部が形成され、リモコン１０が収容可能に構成されている。羽根３の後方側にも保護カバー５が設けられている。なお、羽根部材の枚数については、５枚に限定されるものではなく、他の枚数、例えば、３枚でも良い。
【００２１】
支柱２の上側には、支柱２に対して垂直方向に移動可能な移動支柱６が設けられている。支柱２に設けられたボタン２ａを操作することで移動支柱６を上下動させ、羽根３の高さを設定することができる。移動支柱６の上端部には、連結カバー部材７が設けられており、この連結カバー部材７は、移動支柱６に対して上下方向に回転可能に軸支されている。この連結カバー部材７の上方には第１カバー部材８と第２カバー部材９とが配置される。この第１・第２カバー部材８，９は、共に連結カバー部材７に対して左右方向に回転可能に軸支される。これにより、首振りを可能にしている。第１カバー部材８は、そのすぐ前側に後方側保護カバー５が取り付けられる。第１・第２カバー部材８，９は縦断面形状が略達磨状に形成されており、第１・第２カバー部材８，９で囲まれる空間の下側に第１収容部Ｋ１が形成され、この第１収容部Ｋ１の上方に第２収容部Ｋ２が形成される。第２カバー部材９の後方側には開口部９ａが形成され、この開口部９ａにネット状部材１１が取り付けられる。
【００２２】
図３は、第２カバー部材９を取り外した状態を示す図であり、図４は、第１収容部Ｋ１及び第２収容部Ｋ２の内部構成を示す概略図（縦断面図）である。図４に示すように、内部空間は下側の第１収容部Ｋ１と上側の第２収容部Ｋ２とで構成され、これらの収容部を区分けするために第１仕切り部材１３と第２仕切り部材１４とが設けられている。第１仕切り部材１３よりも第２仕切り部材１４の方が少し高い位置に設定されている。第１収容部Ｋ１は、前方側と後方側に開口部８ａと開口部９ａがそれぞれ設けられており、空気の流通路が形成され風洞として機能する。各開口部８ａ，９ａにはネット状部材１１，１２が取り付けられており、大きなごみや指が第２収容部Ｋ２に入り込むことを防止することができる。ネット状部材１１，１２は、金属製の線部材をクロスする形に形成されている。ただし、これに限定されるものではなく、適宜のネット形状を採用することができる。なお、ネット状部材を設けるのではなく、第１・第２カバー部材８，９に樹脂一体成形をしてもよい。
【００２３】
第２仕切り部材１４の先端１４ａは、第１カバー部材８の内側に少し入り込んでいる。第１仕切り部材１３の後端１３ａの上部に上記先端１４ａがオーバーラップしている形になっている。このように仕切り部材１３，１４を構成することで、第２収容部Ｋ２に侵入したごみ等が第１収容部Ｋ１に落ち込むことを防止している。各モータ１６，１７の内部にごみ等が侵入して異音発生の原因やその他の誤作動の原因となることを防止することができる。また、第１仕切り部材１３と第２仕切り部材１４の取り付け高さを異ならせることで配線を通す空間を形成している。なお、第１仕切り部材１３と第２仕切り部材１４のいずれの方を高い位置に取り付けるかは適宜選択可能な事項である。
【００２４】
第１仕切り部材１３の上部にイオン発生部１５が配置される。イオン発生部１５は放電電極１５ａとこれを支持する電極支持部材１５ｂとを備え、電極支持部材１５ｂをネジにより第１カバー部材８に対して結合する。放電電極１５ａの先端と前方側のネット状部材１２との距離Ｌは、好ましくは５ｍｍ以上に設定される。放電電極１５ａへのリード線１５ｃは、第１・第２仕切り部材１３，１４の間の隙間を通って電源回路へと接続される。なお、放電電極１５ａを利用したイオンの発生原理については公知の手法により行われる。なお、イオン発生部１５から発生されるイオンは、マイナスイオンとプラスイオンであり、これらマイナスイオン・プラスイオンによる除菌・殺菌効果を発揮するものである。
【００２５】
第１収容部Ｋ１は、前方側に羽根回転モータ１６を設けており羽根３を回転駆動する。第１収容部Ｋ１の後方側には首振りモータ１７が配置される。首振りモータ１７は、モータ支持基板１８に対して結合される。首振りモータ１７のすぐ上方にイオン発生部１５を駆動するための電源回路を搭載した回路基板１９が配置される。回路基板１９の回路配置面は、後方に４５度傾斜した状態に配置される。回路基板１９は、基板支持部材２０に結合されており、この基板支持部材２０が第２カバー部材９に固定される別の基板２１に対して結合される。なお、電源回路の具体的な回路構成は図５に示される。
【００２６】
以上のようにイオン発生部１５を第１収容部Ｋ１の上方に配置したので、羽根の後部の突出量を抑制することができる。特に、首振りモータ１６の直上に配置しているので第２収容部Ｋ２の大きさも必要以上に大きくしなくてすむ。また、イオン発生部１５の前方には開口部１２があり、イオンをスムーズに前方側に放出することができる。イオンは羽根３により前方側に放出されやすくなる。また、電源回路を首振りモータ１７のすぐ上方に配置しているので、同様に羽根の後方側の突出量を抑制することができる。
【００２７】
放電電極１５ａと前方側のネット状部材１２との距離Ｌとイオン発生量との関係を説明する。イオン発生扇風機の最前面（保護カバー４の中心）から前方１ｍの位置にイオン量を計測する測定装置を配置し、Ｌ＝５，６，８，１０ｍｍと変化させてイオン量を測定した。測定結果を表１に示す。距離Ｌを大きくするほどイオン量が増えていることがわかる。また、マイナスイオンとプラスイオンの量はほぼ等量づつ発生していることもわかる。
【００２８】
【表１】
2005240556.tif 000003
＜別実施形態＞
本実施形態では後方側保護カバー５には何も被せていない状態（ごく一般的な態様）であるが、保護カバー５に埃吸着用のフィルターを被せることができる。このフィルターを装着することにより生じる空気抵抗により、風洞（第２収容部Ｋ２）への空気取り込み量が増加し効率良くイオンを放出させることができる。また、フィルターにより保護カバー５の全体を覆うのではなく、開口部８ａのある位置はフィルターで覆わないようにする。これにより、風洞としての効果を維持することができる。
【００２９】
本実施形態では、マイナスイオンとプラスイオンを発生するイオン発生部を説明したが、これに限定されるものではなく、マイナスイオンのみを発生する扇風機にも本発明は応用できるものである。また、マイナスイオンとプラスイオンの両方を発生する場合、同時に発生してもよいし、交互に発生してもよく、その発生形態についても特定の形態に限定されるものではない。
【図面の簡単な説明】
【００３０】
【図１】扇風機を正面から見た外観図
【図２】扇風機を背面から見た外観図
【図３】第２カバー部材を取り外した状態を示す図
【図４】第１収容部及び第２収容部の構成を示す概略図
【図５】電源回路の回路構成を示す図
【符号の説明】
【００３１】
３      羽根
４，５  保護カバー
８      第１カバー部材
８ａ    開口部
９      第２カバー部材
９ａ    開口部
１１，１２    ネット状部材
１３    第１仕切り部材
１４    第２仕切り部材
１５    イオン発生部
１５ａ  放電電極
１５ｂ  電極支持部材
１６    羽根回転モータ
１７    首振りモータ
１８    モータ支持基板
１９    電源回路
Ｋ１    第１収容部
Ｋ２    第２収容部
【図１】
2005240556.tif 000004
【図２】
2005240556.tif 000005
【図３】
2005240556.tif 000006
【図４】
2005240556.tif 000007
【図５】
2005240556.tif 000008